(57)【特許請求の範囲】
【請求項１】
ケーシング（11）内に、水分を吸着離脱する調湿手段（50）とファン（25，26）とが収納される一方、
上記ケーシング（11）内に、室外と室内とに連通し且つ上記調湿手段（50）及びファン（25，26）を通って調湿された空気が流れる複数の空気通路が少なくとも形成された換気装置であって、
上記複数の空気通路の内の少なくとも何れか１の空気通路の風量が所定の目標風量になるように上記ファン（25，26）のファン回転数を制御して１の空気通路に対するファン回転数を決定する回転数制御手段（61）と、
該回転数制御手段（61）が決定した１の空気通路に対するファン回転数に基づき他の空気通路の風量が所定の目標風量になるように該他の空気通路に対するファン回転数を決定する回転数決定手段（62）とを備える一方、
上記調湿手段（50）は、表面に吸着剤が担持された第１吸着熱交換器（51）と第２吸着熱交換器（52）とを備え、上記第２吸着熱交換器（52）で水分を吸着し、第１吸着熱交換器（51）で水分を脱離する第１運転と、第１吸着熱交換器（51）で水分を吸着し、第２吸着熱交換器（52）で水分を脱離する第２運転とを交互に繰り返すように構成され、
上記複数の空気通路は、上記第１吸着熱交換器（51）又は第２吸着熱交換器（52）を通った調湿空気を室内に供給する給気通路（34，…，36）と、上記第２吸着熱交換器（52）又は第１吸着熱交換器（51）を通った排出空気を室外に放出する排気通路（32，…，35）と、上記ファン（25，26）のみを通る換気空気が流れる換気通路（81，82，…）とを備え、
上記回転数制御手段（61）は、換気通路（81，82，…）に対するファン回転数を決定する
ことを特徴とする換気装置。
【請求項２】
請求項１において、
上記回転数制御手段（61）は、ファン（25，26）の消費電力を所定時間が経過するまで積算し、該消費電力の積算値が予め設定された目標風量の必要電力値になるようにファン回転数を決定する
ことを特徴とする換気装置。
【請求項３】
請求項１において、
上記回転数決定手段（62）は、換気通路（81，82，…）に対するファン回転数と、給気通路（34，…，36）及び排気通路（32，…，35）に対するファン回転数との関係を予め記憶し、該関係に基づき給気通路（34，…，36）及び排気通路（32，…，35）に対するファン回転数を決定する
ことを特徴とする換気装置。
【請求項４】
請求項１において、
上記回転数制御手段（61）は、運転停止の状態から所定の指示が入力されると決定動作を開始する
ことを特徴とする換気装置。
【発明の詳細な説明】
【技術分野】
【０００１】
本発明は、室内の換気を行う換気装置に関し、特に、ファン回転数の制御対策に係るものである。
【背景技術】
【０００２】
従来より、換気装置には、室内空気を排気すると同時に、室外空気を除湿してから室内へ供給する調湿装置が知られている。特許文献１には、表面に吸着剤が担持された吸着熱交換器を備えた調湿装置が開示されている。この調湿装置は、いわゆるバッチ式の動作を行う。
【０００３】
具体的に、特許文献１に開示された調湿装置には、２つの吸着熱交換器を備えた冷媒回路が設けられている。この冷媒回路は、第１の吸着熱交換器が凝縮器となって第２の吸着熱交換器が蒸発器となる第１動作と、第２の吸着熱交換器が凝縮器となって第１の吸着熱交換器が蒸発器となる第２動作とを、所定の時間間隔で交互に行う。蒸発器として動作する吸着熱交換器では、吸着剤に空気中の水分が吸着される。凝縮器として動作する吸着熱交換器では、水分が吸着剤から脱離して空気に付与される。
【０００４】
特許文献１に開示された調湿装置は、各吸着熱交換器を通過した空気の一方を室内へ供給して他方を室外へ排出する。除湿運転中の調湿装置では、第１及び第２の吸着熱交換器のうち蒸発器として動作する方を通過した室外空気が室内へ供給され、凝縮器として動作する方を通過した室内空気が室外へ排出される。また、加湿運転中の調湿装置では、第１及び第２の吸着熱交換器のうち蒸発器として動作する方を通過した室内空気が室外へ排出され、凝縮器として動作する方を通過した室外空気が室内へ供給される。
【特許文献１】特開２００６−０７８１０８号公報
【発明の開示】
【発明が解決しようとする課題】
【０００５】
上述したように、従来の調湿装置は、２つのファンを設けて吸排気を行うようにしている。その際、給気風量と排気風量とを一定量に制御することが考えられる。
【０００６】
しかしながら、上記調湿装置は、ファンの制御について何らの対策も考慮されておらず、新たな制御対策が望まれていた。つまり、上記調湿装置においては、複数の空気通路が構成され、各空気通路の空気抵抗が異なることから、各空気通路ごとに上記ファンの回転数を制御する必要がある。そこで、上記調湿装置ではファンを如何に制御するかが問題となっていた。
【０００７】
本発明は、斯かる点に鑑みてなされたものであり、各空気通路ごとにファン回転数を決定する新たなファン制御対策を提供することを目的とする。
【課題を解決するための手段】
【０００８】
第１の発明は、ケーシング（11）内に、水分を吸着離脱する調湿手段（50）とファン（25，26）とが収納される一方、上記ケーシング（11）内に、室外と室内とに連通し且つ上記調湿手段（50）及びファン（25，26）を通って調湿された空気が流れる複数の空気通路が少なくとも形成された換気装置を対象としている。
【０００９】
そして、第１の発明は、上記複数の空気通路の内の少なくとも何れか１の空気通路の風量が所定の目標風量になるように上記ファン（25，26）のファン回転数を制御して１の空気通路に対するファン回転数を決定する回転数制御手段（61）と、該回転数制御手段（61）が決定した１の空気通路に対するファン回転数に基づき他の空気通路の風量が所定の目標風量になるように該他の空気通路に対するファン回転数を決定する回転数決定手段（62）とを備えている。
【００１０】
また、上記調湿手段（50）が、表面に吸着剤が担持された第１吸着熱交換器（51）と第２吸着熱交換器（52）とを備え、上記第２吸着熱交換器（52）で水分を吸着し、第１吸着熱交換器（51）で水分を脱離する第１運転と、第１吸着熱交換器（51）で水分を吸着し、第２吸着熱交換器（52）で水分を脱離する第２運転とを交互に繰り返すように構成されている。
【００１１】
上記複数の空気通路は、上記第１吸着熱交換器（51）又は第２吸着熱交換器（52）を通った調湿空気を室内に供給する給気通路（34，…，36）と、上記第２吸着熱交換器（52）又は第１吸着熱交換器（51）を通った排出空気を室外に放出する排気通路（32，…，35）と、上記ファン（25，26）のみを通る換気空気が流れる換気通路（81，82，…）とを備えている。
【００１２】
さらに、上記回転数制御手段（61）が、換気通路（81，82，…）に対するファン回転数を決定する。
【００１３】
また、第２の発明は、第１の発明において、上記回転数制御手段（61）が、ファン（25，26）の消費電力を所定時間が経過するまで積算し、該消費電力の積算値が予め設定された目標風量の必要電力値になるようにファン回転数を決定する。
【００１４】
また、第３の発明は、第１の発明において、上記回転数決定手段（62）が、換気通路（81，82，…）に対するファン回転数と、給気通路（34，…，36）及び排気通路（32，…，35）に対するファン回転数との関係を予め記憶し、該関係に基づき給気通路（34，…，36）及び排気通路（32，…，35）に対するファン回転数を決定する。
【００１５】
また、第４の発明は、第１の発明において、上記回転数制御手段（61）が、運転停止の状態から所定の指示が入力されると決定動作を開始する。
【００１６】
したがって、上記第１の発明では、先ず、１つの空気通路の風量が所定の目標風量になるようにこの１の空気通路に対するファン回転数を決定する。その後、この１の空気通路に対するファン回転数に基づき他の空気通路のファン回転数を決定する。
【００１７】
具体的に、ケーシング（11）内に給気通路（34，…，36）と排気通路（32，…，35）と換気通路（81，82，…）と形成されているので、上記回転数制御手段（61）が、換気通路（81，82，…）に対するファン回転数を決定する。その後、第３の発明では、上記回転数決定手段（62）が、換気通路（81，82，…）と給気通路（34，…，36）及び排気通路（32，…，35）との関係に基づき給気通路（34，…，36）及び排気通路（32，…，35）に対するファン回転数を決定する。
【００１８】
尚、上記第２の発明では、上記回転数制御手段（61）がファン（25，26）の消費電力の積算値が目標風量の必要電力値になるようにファン回転数を決定する。
【００１９】
また、上記第４の発明では、上記回転数制御手段（61）が、運転停止の状態から所定の指示が入力されると決定動作を開始する。
【発明の効果】
【００２０】
本発明によれば、１の空気通路のファン回転数を決定した後、この空気通路のファン回転数に基づき他の空気通路のファン回転数を決定するようにしたために、各空気通路の通風抵抗を考慮したファン回転数を決定することができるので、各運転時に最適の風量を流すことができる。この結果、各調湿運転を快適性を向上させることができる。
【００２１】
また、各空気通路の空気抵抗を考慮してファン回転数を決定するので、正確なファン回転数を決定することができる。
【００２２】
特に、給気通路（34，…，36）と排気通路（32，…，35）と換気通路（81，82，…）を有する場合、各通路に適したファン回転数を決定することができるので、確実に調湿運転を快適性を向上させることができる。
【００２３】
また、上記回転数制御手段（61）が換気通路（81，82，…）に対するファン回転数を決定するので、簡易にファン回転数を決定することができる。つまり、臭気等の関係から換気通路（81，82，…）を初期設定時に使用することから、この換気通路（81，82，…）からファン回転数を決定することにより、他の給気通路（34，…，36）などのファン回転数を迅速に決定することができる。
【００２４】
また、第２の発明によれば、上記回転数制御手段（61）が排気ファン（25）及び給気ファン（26）の消費電力に基づいてファン回転数を決定するので、温度の影響を排除して正確なファン回転数を決定することができる。
【００２５】
また、第３の発明によれば、上記回転数決定手段（62）が換気通路（81，82，…）のファン回転数と給気通路（34，…，36）及び排気通路（32，…，35）のファン回転数との関係に基づき給気通路（34，…，36）及び排気通路（32，…，35）のファン回転数を決定するので、迅速に給気通路（34，…，36）及び排気通路（32，…，35）のファン回転数を決定することができる。
【００２６】
また、第４の発明によれば、上記回転数制御手段（61）は、所定の指示により決定動作を開始するので、フィルタ交換等が行われて通風抵抗が変化した際、確実にファン回転数を正確に決定することができる。
【発明を実施するための最良の形態】
【００２７】
以下、本発明の実施形態を図面に基づいて詳細に説明する。
【００２８】
本実施形態の調湿装置（10）は、換気装置であって、室内の湿度調節と共に室内の換気を行うものであり、取り込んだ室外空気（OA）を湿度調節して室内へ供給すると同時に、取り込んだ室内空気（RA）を室外に排出する。
【００２９】
〈調湿装置の全体構成〉
調湿装置（10）について、図１、図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００３０】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）及び電動膨張弁（55）が接続されている。冷媒回路（50）の詳細は後述する。
【００３１】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００３２】
ケーシング（11）には、外気吸込口（24）と内気吸込口（23）と給気口（22）と排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００３３】
ケーシング（11）の内部空間には、上流側仕切板（71）と下流側仕切板（72）と中央仕切板（73）と第１仕切板（74）と第２仕切板（75）とが設けられている。これらの仕切板（71〜75）は、何れもケーシング（11）の底板に立設され、ケーシング（11）の内部空間をケーシング（11）の底板から天板に亘って区画している。
【００３４】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００３５】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００３６】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３７】
ケーシング（11）内において、上流側仕切板（71）と背面パネル部（13）の間の空間は、上下２つの空間に仕切られ、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００３８】
また、上記内気側通路（32）には、室内空気温度を検出する内気温度センサ（98）が設置され、外気側通路（34）は、室外空気温度を検出する外気温度センサ（99）が設置されている。
【００３９】
ケーシング（11）内における上流側仕切板（71）と下流側仕切板（72）の間の空間は、中央仕切板（73）によって左右に区画され、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００４０】
各吸着熱交換器（51，52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51，52）は、その前面及び背面が上流側仕切板（71）及び下流側仕切板（72）と平行になる姿勢で、熱交換器室（37，38）内に立設されている。
【００４１】
ケーシング（11）の内部空間において、下流側仕切板（72）の前面に沿った空間は、上下に仕切られ、この上下に仕切られた空間のうち、上側の部分が給気側通路（31）を構成し、下側の部分が排気側通路（33）を構成している。
【００４２】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられている。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられている。
【００４３】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられている。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられている。
【００４４】
ケーシング（11）内において、給気側通路（31）及び排気側通路（33）と前面パネル部（12）との間の空間は、仕切板（77）によって左右に仕切られ、仕切板（77）の右側の空間が給気ファン室（36）を構成し、仕切板（77）の左側の空間が排気ファン室（35）を構成している。
【００４５】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００４６】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００４７】
ケーシング（11）内において、第１仕切板（74）と第１側面パネル部（14）の間の空間は、第１バイパス通路（81）を構成している。第１バイパス通路（81）の始端は、外気側通路（34）のみに連通し、内気側通路（32）からは遮断されている。第１バイパス通路（81）の終端は、仕切板（78）によって、給気側通路（31）、排気側通路（33）及び給気ファン室（36）から区画されている。仕切板（78）のうち給気ファン室（36）に臨む部分には、第１バイパス用ダンパ（83）が設けられている。
【００４８】
ケーシング（11）内において、第２仕切板（75）と第２側面パネル部（15）の間の空間は、第２バイパス通路（82）を構成している。第２バイパス通路（82）の始端は、内気側通路（32）のみに連通し、外気側通路（34）からは遮断されている。第２バイパス通路（82）の終端は、仕切板（79）によって、給気側通路（31）、排気側通路（33）及び排気ファン室（35）から区画されている。仕切板（79）のうち排気ファン室（35）に臨む部分には、第２バイパス用ダンパ（84）が設けられている。
【００４９】
なお、図２の右側面図及び左側面図では、第１バイパス通路（81）、第２バイパス通路（82）、第１バイパス用ダンパ（83）及び第２バイパス用ダンパ（84）の図示を省略している。
【００５０】
〈冷媒回路の構成〉
図３に示すように、冷媒回路（50）は、第１吸着熱交換器（51）、第２吸着熱交換器（52）、圧縮機（53）、四方切換弁（54）及び電動膨張弁（55）が設けられた閉回路で、調湿手段を構成している。この冷媒回路（50）は、充填された冷媒を循環させることによって、蒸気圧縮冷凍サイクルを行う。
【００５１】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００５２】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００５３】
冷媒回路（50）において、圧縮機（53）の吐出側と四方切換弁（54）の第１のポートとを繋ぐ配管には、高圧圧力センサ（91）と、吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００５４】
また、冷媒回路（50）において、圧縮機（53）の吸入側と四方切換弁（54）の第２のポートとを繋ぐ配管には、低圧圧力センサ（92）と、吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００５５】
また、冷媒回路（50）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００５６】
−運転動作−
本実施形態の調湿装置（10）は、除湿換気運転と、加湿換気運転と、単純換気運転とを選択的に行う。除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、上記単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【００５７】
〈除湿換気運転〉
除湿換気運転中の調湿装置（10）では、後述する第１動作と第２動作が所定の時間間隔（例えば３分間隔）で交互に繰り返される。この除湿換気運転中において、第１バイパス用ダンパ（83）及び第２バイパス用ダンパ（84）は、常に閉状態となる。
【００５８】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００５９】
先ず、除湿換気運転の第１動作について説明する。図４に示すように、この第１動作中には、第１内気側ダンパ（41）、第２外気側ダンパ（44）、第２給気側ダンパ（46）及び第１排気側ダンパ（47）が開状態となり、第２内気側ダンパ（42）、第１外気側ダンパ（43）、第１給気側ダンパ（45）及び第２排気側ダンパ（48）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００６０】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００６１】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００６２】
次に、除湿換気運転の第２動作について説明する。図５に示すように、この第２動作中には、第２内気側ダンパ（42）、第１外気側ダンパ（43）、第１給気側ダンパ（45）及び第２排気側ダンパ（48）が開状態となり、第１内気側ダンパ（41）、第２外気側ダンパ（44）、第２給気側ダンパ（46）及び第１排気側ダンパ（47）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６３】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００６４】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００６５】
〈加湿換気運転〉
加湿換気運転中の調湿装置（10）では、後述する第１動作と第２動作が所定の時間間隔（例えば３分間隔）で交互に繰り返される。この加湿換気運転中において、第１バイパス用ダンパ（83）及び第２バイパス用ダンパ（84）は、常に閉状態となる。
【００６６】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００６７】
先ず、加湿換気運転の第１動作について説明する。図６に示すように、この第１動作中には、第２内気側ダンパ（42）、第１外気側ダンパ（43）、第１給気側ダンパ（45）及び第２排気側ダンパ（48）が開状態となり、第１内気側ダンパ（41）、第２外気側ダンパ（44）、第２給気側ダンパ（46）及び第１排気側ダンパ（47）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００６８】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００６９】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００７０】
次に、加湿換気運転の第２動作について説明する。図７に示すように、この第２動作中には、第１内気側ダンパ（41）、第２外気側ダンパ（44）、第２給気側ダンパ（46）及び第１排気側ダンパ（47）が開状態となり、第２内気側ダンパ（42）、第１外気側ダンパ（43）、第１給気側ダンパ（45）及び第２排気側ダンパ（48）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００７１】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００７２】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００７３】
〈単純換気運転〉
単純換気運転中における調湿装置（10）の動作について、図８を参照しながら説明する。
【００７４】
単純換気運転中の調湿装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）及び第２排気側ダンパ（48）が閉状態となる。また、単純換気運転中において、冷媒回路（50）の圧縮機（53）は停止状態となる。
【００７５】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００７６】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００７７】
−ファン制御−
次に、本実施形態のファン制御について説明する。
【００７８】
本実施形態の調湿装置（10）は、図３に示すように、コントローラ（60）を備えている。該コントローラ（60）は、上記低圧圧力センサ（92）等の各センサ信号が入力され、圧縮機（53）などの容量を制御するように構成されている。
【００７９】
更に、上記コントローラ（60）は、図９及び図１１に示すように、排気ファン（25）及び給気ファン（26）を制御する回転数制御手段（61）と回転数決定手段（62）と回転数調整手段（63）とを備えている。つまり、上記コントローラ（60）は、ケーシング（11）の内部に形成される複数の空気通路に対応して排気ファン（25）及び給気ファン（26）を制御する。そして、上記複数の空気通路は、給気通路（34，…，36）と排気通路（32，…，35）と換気通路（81，82，…）とを備えている。具体的に、各通路は下記の通り形成される。
【００８０】
尚、給気通路（34，…，36）は、第１吸着熱交換器（51）又は第２吸着熱交換器（52）を通った調湿空気を室内に供給する通路であり、排気通路（32，…，35）は、第２吸着熱交換器（52）又は第１吸着熱交換器（51）を通った排出空気を室外に放出する通路であり、換気通路（81，82，…）は、排気ファン（25）及び給気ファン（26）のみを通る換気空気が流れる通路である。
【００８１】
給気通路（34，…，36）は、除湿換気運転の第１動作時において、外気側通路（34）と第２熱交換器室（38）と給気側通路（31）と給気ファン室（36）とが順に連通して構成される（図４白抜き矢符参照）。
【００８２】
給気通路（34，…，36）は、加湿換気運転の第２動作時において、外気側通路（34）と第２熱交換器室（38）と給気側通路（31）と給気ファン室（36）とが順に連通して構成される（図７斜線矢符参照、除湿換気運転の第１動作と同じ）。
【００８３】
給気通路（34，…，36）は、除湿換気運転の第２動作時において、外気側通路（34）と第１熱交換器室（37）と給気側通路（31）と給気ファン室（36）とが順に連通して構成される（図５白抜き矢符参照）。
【００８４】
給気通路（34，…，36）は、加湿換気運転の第１動作時において、外気側通路（34）と第１熱交換器室（37）と給気側通路（31）と給気ファン室（36）とが順に連通して構成される（図６斜線矢符参照、除湿換気運転の第２動作と同じ）。
【００８５】
排気通路（32，…，35）は、除湿換気運転の第１動作時において、内気側通路（32）と第１熱交換器室（37）と排気側通路（33）と排気ファン室（35）とが順に連通して構成される（図４斜線矢符参照）。
【００８６】
排気通路（32，…，35）は、加湿換気運転の第２動作時において、内気側通路（32）と第１熱交換器室（37）と排気側通路（33）と排気ファン室（35）とが順に連通して構成される（図７白抜き矢符参照、除湿換気運転の第１動作と同じ）。
【００８７】
排気通路（32，…，35）は、除湿換気運転の第２動作時において、内気側通路（32）と第２熱交換器室（38）と排気側通路（33）と排気ファン室（35）とが順に連通して構成される（図５斜線矢符参照）。
【００８８】
排気通路（32，…，35）は、加湿換気運転の第１動作時において、内気側通路（32）と第２熱交換器室（38）と排気側通路（33）と排気ファン室（35）とが順に連通して構成される（図６白抜き矢符参照、除湿換気運転の第２動作と同じ）。
【００８９】
換気通路（81，82，…）は、単純換気運転において、外気側通路（34）と第１バイパス通路（81）と給気ファン室（36）とが順に連通すると共に、内気側通路（32）と第２バイパス通路（82）と排気ファン室（35）とが順に連通して構成される（図８白抜き矢符及び斜線矢符参照）。
【００９０】
上記回転数制御手段（61）は、換気通路（81，82，…）の風量が所定の目標風量になるように上記排気ファン（25）及び給気ファン（26）の回転数を制御して該換気通路（81，82，…）に対する排気ファン（25）及び給気ファン（26）の回転数を決定する。具体的に、上記回転数制御手段（61）は、排気ファン（25）及び給気ファン（26）の消費電力を所定時間が経過するまで積算し、該消費電力の積算値が予め設定された目標風量の必要電力値になるように排気ファン（25）及び給気ファン（26）の回転数を決定する。つまり、上記回転数制御手段（61）は、各運転ごとの各通路における目標風量に対する必要電力と回転数との関係を予め記憶し、消費電力から排気ファン（25）及び給気ファン（26）の回転数を決定する。
【００９１】
尚、上記回転数制御手段（61）は、運転停止の状態から所定の指示が入力されると決定動作を開始する。具体的に、上記回転数制御手段（61）は、外部から作業者等により回転数の確定制御指示の信号が入力された場合及び、フィルタサインがリセットされて運転を再開する場合などに確定動作を行う。つまり、上記内気側フィルタ（27）及び外気側フィルタ（28）が交換されると、空気抵抗が変化するので、上記回転数制御手段（61）は、回転数の確定動作を行うように構成されている。
【００９２】
上記回転数決定手段（62）は、回転数制御手段（61）が決定した換気通路（81，82，…）に対する排気ファン（25）及び給気ファン（26）の回転数に基づき給気通路（34，…，36）及び排気通路（32，…，35）の風量が所定の目標風量になるように該給気通路（34，…，36）及び排気通路（32，…，35）に対する上記排気ファン（25）及び給気ファン（26）の回転数を決定する。
【００９３】
上記回転数決定手段（62）は、換気通路（81，82，…）に対する排気ファン（25）及び給気ファン（26）の回転数と、給気通路（34，…，36）及び排気通路（32，…，35）に対する排気ファン（25）及び給気ファン（26）の回転数との関係（関係式）を予め記憶し、該関係に基づき給気通路（34，…，36）及び排気通路（32，…，35）に対する排気ファン（25）及び給気ファン（26）の回転数を決定する。
【００９４】
上記回転数調整手段（63）は、排気ファン（25）及び給気ファン（26）の消費電力を所定時間が経過するまで積算し、該消費電力の積算値が予め設定された目標風量の必要電力値になるように排気ファン（25）及び給気ファン（26）の回転数を制御する。つまり、上記回転数調整手段（63）は、上記回転数制御手段（61）と同様に、各運転ごとの各通路における目標風量に対する必要電力と回転数との関係を予め記憶し、消費電力から排気ファン（25）及び給気ファン（26）の回転数を調整する。
【００９５】
また、上記回転数調整手段（63）は、調湿運転中に所定時間ごとに回転数調整動作を開始し、例えば、１時間ごとに回転数調整動作を開始する。つまり、調湿運転中に空気温度が変化すると風量が変化するので、上記回転数調整手段（63）は、所定時間ごとに回転数調整動作を開始する。
【００９６】
上記回転数調整手段（63）は、第１運転及び第２運転の運転時間のうち、切換直後の所定の初期時間と切換前の所定の終期時間との間の中間時間を積算時間としている。つまり、運転の切換直後は、回転数や温度等が安定しないので、例えば、切換直後の３０秒と切換前の３０秒とは積算しないようにしている。
【００９７】
上記回転数調整手段（63）は、換気運転の運転時間のうち、所定の初期時間が経過した後の運転時間を積算時間としている。つまり、運転の切換直後は、回転数や温度等が安定しないので、例えば、換気運転の開始後の３０秒は積算しないようにしている。
【００９８】
−ファン制御動作−
次に、上記給気ファン（26）及び排気ファン（25）の回転数を制御する動作について制御フローに基づいて説明する。
【００９９】
図９に示すように、回転数制御動作を開始すると、ステップＳＴ１において、運転停止中において、回転数の調整が指示されると、ステップＳＴ２に移る。つまり、運転を停止中において、外部から作業者等により据付時に回転数の確定制御指示の信号が入力された場合又はフィルタサインがリセットされて運転を再開する場合などは、ステップＳＴ２に移り、給気ファン（26）の回転数Ｆrs及び排気ファン（25）の回転数Ｆrrを設定し、ファン回転数の確定制御を開始する（図１０Ａ参照）。その後、１０個のダンパ（41〜48，83，84）を開閉してダンパ確定動作を行い、第１バイパス用ダンパ（83）及び第２バイパス用ダンパ（84）を開放する（図１０Ｂ，Ｃ参照）。つまり、換気運転である単純換気運転の状態とする。
【０１００】
続いて、ステップＳＴ４に移り、給気ファン（26）及び排気ファン（25）を駆動し、（図１０Ｃ参照）、該給気ファン（26）及び排気ファン（25）の回転数が所定の指示回転数になるを待ってステップＳＴ４に移り、タイマをスタートさせる（図１０Ｄ参照）。つまり、給気ファン（26）及び排気ファン（25）がある程度の回転状態になって消費電力を積算する。
【０１０１】
次に、ステップＳＴ５に移り、タイマが２０秒をカウントしたか否かを判定し、２０秒が経過するまで待ってステップＳＴ６に移り、消費電力を算出する。その後、ファン風量が目標値の±１％以内になるか、または上記ステップＳＴ５〜７の動作を５回になるまで、上記ステップＳＴ５〜７の動作を繰り返す。
【０１０２】
つまり、上記回転数制御手段（61）は、給気ファン（26）及び排気ファン（25）を予め設定された初期値Ｆrs、Ｆrrで回転させて単純換気運転を行い（ステップＳＴ３）、２０秒の消費電力を積算する（ステップＳＴ６）。上記回転数制御手段（61）は、各通路における目標風量に対する必要電力と回転数との関係を予め記憶し、消費電力から換気通路（81，82，…）の排気ファン（25）及び給気ファン（26）の回転数を決定する。
【０１０３】
その後、上記ステップＳＴ７からステップＳＴ８に移り、回転数決定手段（62）は、換気通路（81，82，…）の排気ファン（25）及び給気ファン（26）の回転数から給気通路（34，…，36）及び排気通路（32，…，35）の排気ファン（25）及び給気ファン（26）の回転数を決定する。つまり、上記回転数決定手段（62）は、換気通路（81，82，…）に対する排気ファン（25）及び給気ファン（26）の回転数と、給気通路（34，…，36）及び排気通路（32，…，35）に対する排気ファン（25）及び給気ファン（26）の回転数との関係式を予め記憶し、該関係式に基づき給気通路（34，…，36）及び排気通路（32，…，35）に対する排気ファン（25）及び給気ファン（26）の回転数を決定し、ファン確定制御を終了する（図１０Ｅ参照）。
【０１０４】
また、図１１に示すように、回転数調整手段（63）は、調湿運転中にファン回転数を調整する。この調整運転を開始すると、先ず、ステップＳＴ１１において、単純換気運転と除湿換気運転及び加湿換気運転の第１運転及び第２運転の何れかであることを条件にステップＳＴ１２に移り、消費電力を積算する。
【０１０５】
つまり、上記回転数調整手段（63）は単純換気運転と除湿換気運転と加湿換気運転の各運転中に１時間ごとに調整動作を行うので、各運転中の１時間の消費電力を積算する。この積算は、第１運転及び第２運転の運転時間のうち、切換直後の３０秒と切換前の３０秒とは積算しないようにし、２分間を積算時間としている。また、上記積算は、単純換気運転の運転時間のうち、換気運転の開始後の３０秒後を積算時間としている。
【０１０６】
その後、上記ステップＳＴ１２からステップＳＴ１３に移り、必要電力を算出する。つまり、上記回転数調整手段（63）は、目標風量に対する必要電力と回転数との関係を予め記憶しているので、排気ファン（25）及び給気ファン（26）の消費電力と目標風量の必要電力を算出する。
【０１０７】
続いて、上記ステップＳＴ１３からステップＳＴ１４に移り、ファン風量が目標値の±１％以内になっているか否かを判定し、ファン風量が所定風量であれば、調整動作を終了する。一方、ファン風量が目標値の±１％以内でない場合、上記ステップＳＴ１４からステップＳＴ１５に移り、目標風量の必要電力になるように排気ファン（25）及び給気ファン（26）の回転数を調節し、調整動作を終了する。
【０１０８】
−実施形態の効果−
以上のように、本実施形態によれば、１の空気通路のファン回転数を決定した後、この空気通路のファン回転数に基づき他の空気通路のファン回転数を決定するようにしたために、各空気通路の通風抵抗を考慮したファン回転数を決定することができるので、各運転時に最適の風量を流すことができる。この結果、各調湿運転を快適性を向上させることができる。
【０１０９】
また、各空気通路の空気抵抗を考慮してファン回転数を決定するので、正確なファン回転数を決定することができる。
【０１１０】
特に、給気通路（34，…，36）と排気通路（32，…，35）と換気通路（81，82，…）を有する場合、各通路に適したファン回転数を決定することができるので、確実に調湿運転を快適性を向上させることができる。
【０１１１】
また、上記回転数制御手段（61）は、換気通路（81，82，…）に対するファン回転数を決定するので、簡易にファン回転数を決定することができる。つまり、臭気等の関係から換気通路（81，82，…）を初期設定時に使用することから、この換気通路（81，82，…）からファン回転数を決定することにより、他の給気通路（34，…，36）などのファン回転数を迅速に決定することができる。
【０１１２】
また、上記回転数制御手段（61）は、排気ファン（25）及び給気ファン（26）の消費電力に基づいてファン回転数を決定するので、温度の影響を排除して正確なファン回転数を決定することができる。特に、上記排気ファン（25）及び給気ファン（26）が第１吸着熱交換器（51）及び第２吸着熱交換器（52）の下流側に配置されているので、温度の影響を排除して正確なファン回転数を決定することができる。
【０１１３】
また、上記回転数決定手段（62）は、換気通路（81，82，…）のファン回転数と給気通路（34，…，36）及び排気通路（32，…，35）のファン回転数との関係に基づき給気通路（34，…，36）及び排気通路（32，…，35）のファン回転数を決定するので、迅速に給気通路（34，…，36）及び排気通路（32，…，35）のファン回転数を決定することができる。
【０１１４】
また、上記回転数制御手段（61）は、所定の指示により決定動作を開始するので、フィルタ交換等が行われて通風抵抗が変化した際、確実にファン回転数を正確に決定することができる。
【０１１５】
また、上記回転数調整手段（63）は、排気ファン（25）及び給気ファン（26）の消費電力に基づいてファン回転数を決定するので、温度の影響を排除して正確なファン回転数を調整することができる。特に、上記排気ファン（25）及び給気ファン（26）が第１吸着熱交換器（51）及び第２吸着熱交換器（52）の下流側に配置されているので、温度の影響を排除して正確なファン回転数を決定することができる。
【０１１６】
その上、給気通路（34，…，36）と排気通路（32，…，35）と換気通路（81，82，…）を有する場合、各通路に適したファン回転数を調整することができるので、確実に調湿運転を快適性を向上させることができる。
【０１１７】
また、上記回転数調整手段（63）は、調湿運転中の所定時間ごとに行うので、温度変化に対して正確なファン回転数に調整することができる。
【０１１８】
また、上記回転数調整手段（63）は、第１運転と第２運転との切り換え前後の所定時間は消費電力の積算時間に算入しないので、回転数等が不安定な状態の影響が排除され、正確なファン回転数に調整することができる。
【０１１９】
また、上記回転数調整手段（63）は、単純換気運転の切り換えから所定時間後に消費電力の積算を開始するので、回転数等が不安定な状態の影響が排除され、正確なファン回転数に調整することができる。
【０１２０】
−実施形態の変形例１−
本実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【０１２１】
−実施形態の変形例２−
本実施形態の調湿装置（10）では、第１吸着熱交換器（51）及び第２吸着熱交換器（52）に担持された吸着剤を冷媒によって加熱し又は冷却しているが、第１吸着熱交換器（51）及び第２吸着熱交換器（52）に対して冷水や温水を供給することで、吸着剤の加熱や冷却を行ってもよい。
【０１２２】
−参考例１−
上記調湿装置（10）が次のように構成されていてもよい。
【０１２３】
図１２に示すように、本参考例の調湿装置（10）は、冷媒回路（100）と２つの吸着素子（111，112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。第１吸着素子（111）及び第２吸着素子（112）は、ゼオライト等の吸着剤を備えている。各吸着素子（111，112）には多数の空気通路が形成され、この空気通路を通過する際に空気が吸着剤と接触する。
【０１２４】
本参考例の調湿装置（10）は、除湿換気運転と、加湿換気運転と、単純換気運転とを選択的に行う。
【０１２５】
除湿換気運転中や加湿還気運転中の調湿装置（10）は、第１動作と第２動作を所定の時間間隔で交互に繰り返し行う。除湿換気運転中の調湿装置（10）は、室外空気を第１空気として取り込み、室内空気を第２空気として取り込む。一方、加湿換気運転中の調湿装置（10）は、室内空気を第１空気として取り込み、室外空気を第２空気として取り込む。
【０１２６】
先ず、除湿換気運転及び加湿還気運転の第１動作について、図１２(Ａ)を参照しながら説明する。第１動作中の調湿装置（10）は、凝縮器（102）で加熱された第２空気を第１吸着素子（111）へ供給する。第１吸着素子（111）では、吸着剤が第２空気によって加熱され、吸着剤から水分が脱離する。また、第１動作中の調湿装置（10）は、第１空気を第２吸着素子（112）へ供給し、第１空気中の水分を第２吸着素子（112）に吸着させる。第２吸着素子（112）に水分を奪われた第１空気は、蒸発器（104）を通過する際に冷却される。
【０１２７】
次に、除湿換気運転及び加湿還気運転の第２動作について、図１２(Ｂ)を参照しながら説明する。第２動作中の調湿装置（10）は、凝縮器（102）で加熱された第２空気を第２吸着素子（112）へ供給する。第２吸着素子（112）では、吸着剤が第２空気によって加熱され、吸着剤から水分が脱離する。また、第１動作中の調湿装置（10）は、第１空気を第１吸着素子（111）へ供給し、第１空気中の水分を第１吸着素子（111）に吸着させる。第１吸着素子（111）に水分を奪われた第１空気は、蒸発器（104）を通過する際に冷却される。
【０１２８】
そして、除湿換気運転中の調湿装置（10）は、除湿された第１空気（室外空気）を室内へ供給し、吸着素子（111，112）から脱離した水分を第２空気（室内空気）と共に室外へ排出する。また、加湿換気運転中の調湿装置（10）は、加湿された第２空気（室外空気）を室内へ供給し、吸着素子（111，112）に水分を奪われた第１空気（室内空気）を室外へ排出する。
【０１２９】
単純換気運転中の調湿装置（10）では、冷媒回路（100）の圧縮機（101）が停止状態になると共に、第１吸着素子（111）と第２吸着素子（112）のうち一方を室外空気が通過して他方を室内空気が通過する。そして、室外空気は吸着素子（111，112）を通過後に室内へ供給され、室内空気は吸着素子（111，112）を通過後に室外へ排出される。単純換気運転中の調湿装置（10）において、室外空気や室内空気の流通経路の切り換えは行われない。
【０１３０】
−参考例２−
上記調湿装置（10）が次のように構成されていてもよい。
【０１３１】
図１３に示すように、本参考例の調湿装置（10）は、本体ユニット（150）と熱源ユニット（165）とを備えている。
【０１３２】
本体ユニット（150）の内部空間は、給気通路（151）と排気通路（152）とに区画されている。給気通路（151）は、その始端が外気吸込口（153）に連通し、その終端が給気口（154）に連通している。給気通路（151）には、その始端から終端へ向かって順に、利用側熱交換器（161）と、加湿エレメント（162）と、給気ファン（157）とが配置されている。排気通路（152）は、その始端が内気吸込口（155）に連通し、その終端が排気口（156）に連通している。排気通路（152）には、排気ファン（158）が配置されている。
【０１３３】
熱源ユニット（165）は、一対の連絡配管（166）を介して利用側熱交換器（161）と接続されている。図示しないが、熱源ユニット（165）は、圧縮機や膨張弁などを備えている。この熱源ユニット（165）は、利用側熱交換器（161）と共に冷媒回路（167）を形成している。利用側熱交換器（161）は、空気を冷媒と熱交換させる空気熱交換器である。冷媒回路（167）は、利用側熱交換器（161）が蒸発器となる冷凍サイクル動作と、利用側熱交換器（161）が凝縮器となる冷凍サイクル動作とを選択的に行う。
【０１３４】
図示しないが、加湿エレメント（162）では、水通路と空気通路とが透湿膜を挟んで形成されている。水通路では、外部から供給された水道水が流通する。空気通路では、給気通路（151）を流れる空気が流通する。透湿膜は、液体である水は通過させずに水蒸気のみを通過させる。
【０１３５】
本参考例の調湿装置（10）は、除湿換気運転と、加湿換気運転と、単純換気運転とを選択的に行う。
【０１３６】
除湿換気運転中の調湿装置（10）では、利用側熱交換器（161）が蒸発器となる冷凍サイクル動作を冷媒回路（167）が行うと共に、加湿エレメント（162）に対する給水が停止される。この運転中において、利用側熱交換器（161）における冷媒の蒸発温度は、室外空気の露点温度よりも低い値に設定される。給気通路（151）へ流入した室外空気は、利用側熱交換器（161）を通過する際に冷却され、室外空気中の水分が凝縮してドレン水となる。利用側熱交換器（161）を通過した室外空気は、加湿エレメント（162）を通過した後に給気口（154）を通って室内へ供給される。利用側熱交換器（161）で生じたドレン水は、室外へ排出される。排気通路（152）へ流入した室内空気は、排気口（156）を通って室外へ排出される。
【０１３７】
加湿換気運転中の調湿装置（10）では、利用側熱交換器（161）が凝縮器となる冷凍サイクル動作を冷媒回路（167）が行うと共に、加湿エレメント（162）に対する給水が行われる。給気通路（151）へ流入した室外空気は、利用側熱交換器（161）を通過する際に加熱された後に加湿エレメント（162）へ送られる。加湿エレメント（162）では、透湿膜を通過した水蒸気が空気に付与される。加湿エレメント（162）で加湿された空気は、給気口（154）を通って室内へ供給される。排気通路（152）へ流入した室内空気は、排気口（156）を通って室外へ排出される。
【０１３８】
単純換気運転中の調湿装置（10）では、冷媒回路（167）の運転と加湿エレメント（162）に対する給水の両方が停止され、給気ファン（157）及び排気ファン（158）の運転のみが行われる。給気通路（151）へ流入した室外空気は、利用側熱交換器（161）と加湿エレメント（162）を順に通過し、その後に給気口（154）を通って室内へ供給される。排気通路（152）へ流入した室内空気は、排気口（156）を通って室外へ排出される。
【０１３９】
−その他の実施形態−
本発明は、上記実施形態について、以下のような構成としてもよい。
【０１４０】
上記実施形態において、ファン回転数を自動的に制御するようにしたが、このファン回転数は、自動制御する制御手段の他に、手動により複数のファン回転数に設定する手動制御の制御手段を設けるようにしてもよい。つまり、各運転後に９種類のファンタップを設けてファン回転数を手動設定する機能を設けるようにしてもよい。
【０１４１】
また、上記参考例は、調湿装置について説明したが、単純換気運転のみを行う換気装置であってもよい。つまり、上記第１吸着熱交換器（51）及び第２吸着熱交換器（52）等を備えず、上記ファン（25，26）のみを備えて換気通路の空気通路を有するものであってもよい。
【０１４２】
尚、以上の実施形態は、本質的に好ましい例示であって、本発明、その適用物、あるいはその用途の範囲を制限することを意図するものではない。
【産業上の利用可能性】
【０１４３】
以上説明したように、本発明は、室内の湿度調節を行うための調湿装置について有用である。
【図面の簡単な説明】
【０１４４】
【図１】図１は、前面側から見た調湿装置をケーシングの一部および電装品箱を省略して示す斜視図である。
【図２】図２は、調湿装置の一部を省略して示す概略の平面図、右側面図及び左側面図である。
【図３】図３は、冷媒回路の構成を示す配管系統図であって、(Ａ)は第１動作中の動作を示すものであり、(Ｂ)は第２動作中の動作を示すものである。
【図４】図４は、除湿換気運転の第１動作における空気の流れを示す調湿装置の概略の平面図、右側面図及び左側面図である。
【図５】図５は、除湿換気運転の第２動作における空気の流れを示す調湿装置の概略の平面図、右側面図及び左側面図である。
【図６】図６は、加湿換気運転の第１動作における空気の流れを示す調湿装置の概略の平面図、右側面図及び左側面図である。
【図７】図７は、加湿換気運転の第２動作における空気の流れを示す調湿装置の概略の平面図、右側面図及び左側面図である。
【図８】図８は、単純換気運転における空気の流れを示す調湿装置の概略の平面図、右側面図及び左側面図である。
【図９】図９は、ファン回転数の決定動作を示すフロー図である。
【図１０】図１０は、ファン回転数の決定動作を示すタイミング図である。
【図１１】図１１は、ファン回転数の調整動作を示すフロー図である。
【図１２】図１２は、参考例１の調湿装置を示す概略構成図であって、(Ａ)は第１動作中の動作を示すものであり、(Ｂ)は第２動作中の動作を示すものである。
【図１３】図１３は、参考例２の調湿装置を示す概略構成図である。
【符号の説明】
【０１４５】
10        調湿装置
11        ケーシング
25        排気ファン
26        給気ファン
31        給気側通路
32        内気側通路
33        排気側通路
34        外気側通路
35        排気ファン室
36        給気ファン室
37        第１熱交換器室
38        第２熱交換器室
50        冷媒回路（調湿手段）
51        第１吸着熱交換器
52        第２吸着熱交換器
60        コントローラ
61        回転数制御手段
62        回転数決定手段
63        回転数調整手段
81        第１バイパス通路
82        第２バイパス通路
【図１】
0005082775.tif 000002
【図２】
0005082775.tif 000003
【図３】
0005082775.tif 000004
【図４】
0005082775.tif 000005
【図５】
0005082775.tif 000006
【図６】
0005082775.tif 000007
【図７】
0005082775.tif 000008
【図８】
0005082775.tif 000009
【図９】
0005082775.tif 000010
【図１０】
0005082775.tif 000011
【図１１】
0005082775.tif 000012
【図１２】
0005082775.tif 000013
【図１３】
0005082775.tif 000014